(57)【要約】【課題】本発明は、折り畳む際に床面と屋根との間に側壁等を収納することにより一体的に梱包できるようにした折り畳み式ユニットハウスを提供することを目的とするものである。【解決手段】本発明は、折り畳み式ユニットハウス１の床を形成する床体２と、前記床体２に対して起伏可能に取り付けられる柱体３と、前記柱体３の起立によって支持される屋根４と、前記柱体３間に取り付け自在とされる複数の側壁５とから構成され、前記柱体２を倒伏させて屋根４を積み重ねた際に床体２と屋根４との間に前記取り外された全ての側壁５を収納できるスペースを有する。【選択図】図１
2008101402.tif 000002
【特許請求の範囲】
【請求項１】
折り畳み式ユニットハウスの床を形成する床体と、
前記床体に対して起伏可能に取り付けられる柱体と、
前記柱体の起立によって支持される屋根と、
前記柱体間に取り付け自在とされる複数の側壁とから構成され、
前記柱体を倒伏させて屋根を積み重ねた際に床体と屋根との間に前記取り外された全ての側壁を収納できるスペースを有する
ことを特徴とする折り畳み式ユニットハウス。
【請求項２】
前記屋根の天井面に、照明器具が収納できる深さを有するランプケースが形成される
ことを特徴とする請求項１記載の折り畳み式ユニットハウス。
【請求項３】
前記柱体の前面の適宜個所に、折り畳み時の屋根を支持するプレートを設ける
ことを特徴とする請求項１または２記載の折り畳み式ユニットハウス。
【発明の詳細な説明】
【技術分野】
【０００１】
本発明は、折り畳み式ユニットハウスに関する。詳しくは工事現場等に仮設されるユニットハウスをコンパクトに折り畳めるようにした折り畳み式ユニットハウスに係るものである。
【背景技術】
【０００２】
従来、工事現場等に仮設されるユニットハウスのなかには、屋根を支持する柱体を床体に沿わせて倒伏させることによって折り畳めるようにし、屋根と床体とを接近させたコンパクトな折り畳み状態で輸送できるようにしたものがある。
【０００３】
この種のユニットハウスの構造は図１０および図１１に示すように、折り畳み式ユニットハウス１０１は、床面１０２を形成する、床体１０３と、この床体１０３の四隅に立設されて屋根を支持する柱体１０４と、窓やドア等を有する側壁を備えている。
【０００４】
そこで、柱体１０４は、床体１０３に固設されたブラケット１０５と揺動軸１０６としてのボルトによって起立した状態から床体１０３に沿って倒伏した状態に折り畳み、その上に屋根を積み重ねて梱包し、および側壁およびドア等を別個に梱包しているのが現状である（例えば、特許文献１参照。）。
【０００５】
【特許文献１】特開２００５−２４８５４７号公報
【発明の開示】
【発明が解決しようとする課題】
【０００６】
しかしながら床体１０３と屋根１０７は略同形とされるために柱体１０４を倒伏させ、該柱体１０４を挟んだ状態でコンポ用のバンド等で巻き付けることは比較的容易であるが、ユニットハウスを構成する複数枚の側壁やドアおよび窓枠は別途重ね合わせてコンポ用のバンド等で巻き付けて梱包しなければならず、運搬の際には非常に手間が係る問題がある。
【０００７】
また、組立て式ユニットハウスの殆んどがレンタルとして取扱うことが多く、ユニットハウスを取扱うレンタル会社では、通常は折り畳んだ状態のユニットハウスを倉庫内に保管し、注文に応じて現地まで運搬して現場において組立て、回収時には折り畳んで倉庫に保管するという行為を繰り返しており、ユニットハウスを単体ごとに梱包することができないために、保管の際に床体、柱体及び屋根とが離れた状態となり、在庫管理が煩雑となる問題がある。
【０００８】
本発明は、以上の点に鑑みて創案されたものであって、折り畳む際に床面と屋根との間に側壁等を収納することにより一体的に梱包できるようにした折り畳み式ユニットハウスを提供することを目的とするものである。
【課題を解決するための手段】
【０００９】
上記の目的を達成するために、本発明に係る折り畳み式ユニットハウスは、折り畳み式ユニットハウスの床を形成する床体と、前記床体に対して起伏可能に取り付けられる柱体と、前記柱体の起立によって支持される屋根と、前記柱体間に取り付け自在とされる複数の側壁とから構成され、前記柱体を倒伏させて屋根を積み重ねた際に床体と屋根との間に前記取り外された全ての側壁を収納できるスペースを有する。
【００１０】
ここで、前記柱体を倒伏させて屋根を積み重ねた際に床体と屋根との間に前記取り外された全ての側壁を収納できるスペースを有する構成とすることにより、１ユニットでの梱包を行うことが可能となり効率の良い運搬および保管を容易に行うことができる。
【００１１】
また、前記屋根の天井面に、照明器具が収納できる深さを有するランプケースが形成されることにより、折り畳み時の照明器具と柱体および側壁との接触を防止することが可能となる。
【００１２】
また、前記柱体の前面の適宜個所に、折り畳み時の屋根を支持するプレートを設けることにより、柱体との接触を最小限に留め、かつ折り畳み時の屋根の重量が柱体に均一に加わるようになる。
【発明の効果】
【００１３】
柱体の妻骨格の幅を従来型より厚くすることにより、床体と屋根との間に各種の側壁が収納できるスペースを確保することができ、１ユニットでの搬送や保管が可能となる。
【００１４】
また、天井面をパネル受けインナーの面と合せることにより連棟したときに隣のハウスとの天井面の境目に凹凸がなく、フラットな広いイメージの室内空間を提供することが可能となる。
【００１５】
また、柱体の妻骨格前面の上下２個所に、プレート（厚さ約１２ｍｍ）を取り付けることにより、折り畳み時の屋根骨格の重量が妻骨格に均一にかかるために、輸送時のガタつきが無く、屋根と柱体との接触面も少なくなり傷や塗装の剥がれも最小で済むようになる。
【００１６】
また、天井面に深さの有るランプケースを設けることにより、照明器具と天井面とを合わせ、よりフラット感を演出するとともに、折り畳み時の照明器具と柱体および側壁との接触を防止することが可能となる。
【発明を実施するための最良の形態】
【００１７】
以下、本発明の実施の形態を図面を参酌しながら説明し、本発明の理解に供する。
図１（イ）（ロ）（ハ）（ニ）に、本発明を適用した折り畳み式ユニットハウスの一例を示す正面説明図、背面説明図、左側面図、右側面図を示す。
【００１８】
ここで示すユニットハウス１は、床体２の左右の両側端に柱体３が立設され、さらに該柱体３の上端間には屋根４が載置される。そして前記ユニットハウス１の正面側の柱体３、３間には、分割状とされる複数の側壁５と窓が設けられる側壁５Ａおよび開閉戸が設けられる側壁５Ｂが取り付けられる。
【００１９】
また、前記ユニットハウス１の背面側の柱体３、３間には、分割状とされる複数の側壁５と窓部が設けられる側壁５Ａが取り付けられる。さらに、前記ユニットハウス１の左側面側の柱体３、３間には複数の側壁５と電源引込口が設けられる側壁５Ｃが取り付けられ、前記前記ユニットハウス１の右側面側の柱体３、３間には複数の側壁５と換気扇口が設けられる側壁５Ｄが取り付けられる。
【００２０】
そこでユニットハウス１の骨組状態を図２（イ）（ロ）（ハ）（ニ）でそれぞれ示す。
前記床体２は図３に示すように、矩形断面の鋼管からなる前後左右の四辺よりなる床骨格９上に床見切り１０によって耐水合板１１が取り付けられる。
【００２１】
次に、前記柱体３は矩形断面の鋼管からなる門型形状の妻骨格１２の下端が前記床骨格９の左右両側端に連結枢支される。そこで図４に示すように、床骨格９の両側上面に連結支持部１３が立設され、該連結支持部１３の上下には軸貫通穴１４と固定ピン挿通穴１５が穿孔される。
【００２２】
ここで、前記妻骨格１２の下端には前記軸貫通穴１４と固定ピン挿通穴１５と対応する位置に軸貫通穴１４Ａと固定ピン挿通穴１５Ａが貫設され、前記連結支持部１３の軸貫通穴１４と固定ピン挿通穴１５を合せた状態で、前記軸貫通穴１４、１４Ａに回転軸１６を挿通固定させて柱体２を起伏自在な状態とする。そして前記柱体２を起立状態において前記固定ピン挿通穴１５、１５Ａに固定ピン１７を挿入することによって柱体３を起立させ、更にボルト２７によって妻骨格１２と床骨格９の端面を螺着することにより柱体３を起立した状態で固定することが可能となる。
【００２３】
さらに、前記妻骨格１２の前面の上下２個所に、一定厚さ（約１２ｍｍ）のプレート３０を配置することにより、折り畳み時の屋根骨格１８の重量が妻骨格１２に均一にかかるために、輸送時のガタつきが無く、前記妻骨格１２と屋根骨格１８との接触面も少なくなることから傷や塗装の剥がれを最小限に抑えることが可能となる。
【００２４】
また、前記妻骨格１２の後面の上端に柱体３の倒伏時に、柱体３を床体２に対して水平状に支持させるための支持板３１を設けるものであり、この支持板３１は倒伏時のみに前記妻骨格１２の後面に対して直角状に開脚できるような機構とするものである。
【００２５】
いっぽう、屋根４は図５に示すように、矩形断面の鋼管からなる屋根骨格１８が屋根４の両側辺に配置される。この屋根骨格１８の下端には、前記側壁５の上端に段形状に形成される段差部１９が挿入可能な側壁嵌入部２０が形成される。そして該側壁嵌入部２０下端により前記屋根骨格１８内を覆うように天井化粧板２１が取り付けられ、前記天井化粧板２１上方の屋根骨格１８の中途には、波形状とした屋根プレート２２が取り付けられるものである。
【００２６】
次に、図６に示すように、前記柱体３に対応する屋根４の左右端には桁部２３が取り付けられる。この桁部２３の下端には、前記柱体２の上端に形成される段差部１９が挿入可能な柱体挿入部２４が形成される。
【００２７】
そこで図７に示すように、前記桁部２３の両側端にはボルト挿通穴２５が貫設されると共に、前記柱体３の段差部１９の両側端にボルトナット２６が固着される。そして前記桁部２３の柱体挿入部２４内に柱体３の段差部１９を挿入し、前記柱体３の段差部１９のボルトナット２６に前記柱体２のボルト挿通穴２５を合せてボルト２７によって締結固定するものである。
【００２８】
また、図８に示すように、屋根４の天井化粧板２１面には蛍光灯などの照明器具が収納できる深さを有するランプケース２８が形成されるものである。このランプケース２８内に照明器具（図示せず。）を取り付けることにより、照明器具が天井面から突出することなく床体２上に積み重ねることが可能となる。
【００２９】
以上の構成よりなる本発明の折り畳み式ユニットハウスでは、ユニットハウス１を折り畳む場合には、まず、前記柱体３と屋根４とが結合されるボルト２７を取り外し、クレーンによって屋根４を吊上げる。
【００３０】
次に、前記ユニットハウス１の正面側の柱体３、３間の複数の側壁５と窓部が設けられる側壁５Ａおよび開閉戸が設けられる側壁５Ｂおよび前記ユニットハウス１の背面側の柱体３、３間に嵌め入れられる複数の側壁５と窓部が設けられる側壁５Ａを取り外す。
さらに、前記ユニットハウス１の左側面側の柱体３、３間の複数の側壁５および右側面側の柱体３、３間の複数の側壁５を取り外す。
【００３１】
ここで、前記図２（イ）（ロ）（ハ）（ニ）で示すように床体２上に柱体３が起立した状態となり、前記図４で示したように、記連結支持部１３の固定ピン挿通穴１５と前記柱体３の妻骨格１２の固定ピン挿通穴１５Ａに挿入される固定ピン１７を抜き取り、ボルト２７を取外すことによって、前記連結支持部１３の軸貫通穴１４と前記柱体３の妻骨格１２の軸貫通穴１４Ａに挿通固定させて回転軸１６を軸心として柱体２が倒伏可能な状態となる。
【００３２】
そして前記柱体３を床体３側に倒伏させる。この場合には該柱体３の妻骨格１２の後面の上端に設けられる支持板２９を妻骨格１２の後面に対して直角状に開脚し、前記柱体３を床体２に対して一定間隔を設けて水平状に支持するものである。
【００３３】
次に、前記柱体３上にクレーンで吊上げられた状態の屋根４を載置するものである。この屋根４の天井化粧板２１面に凹部状に形成されるランプケース２８によって照明器具が天井面から突出することがないために照明器具を損傷することなく前記柱体３上に積み重ねることが可能となる。
【００３４】
このようにして床体２上に柱体３および屋根４を積み重ねることによって床体２と屋根４との間に、前記取り外した側壁５と窓部が設けられる側壁５Ａおよび開閉戸が設けられる側壁５Ｂを収納することができるスペースが形成されることになる。
【００３５】
ここで、図９（イ）（ロ）でそれぞれ示すように、前記床体２と屋根４との間に形成されるスペース内に側壁５と窓部が設けられる側壁５Ａおよび開閉戸が設けられる側壁５Ｂを収納することにより１ユニットでの折り畳みが可能となる。
【図面の簡単な説明】
【００３６】
【図１】本発明を適用した折り畳み式ユニットハウスの一例を示す説明図である。
【図２】本発明を適用した折り畳み式ユニットハウスの骨組の起立状態から折り畳み状態を示す説明図である。
【図３】本発明を適用した折り畳み式ユニットハウスの床体の構造を示す要部拡大説明図である。
【図４】本発明を適用した折り畳み式ユニットハウスの柱体の起伏機構の一例を示す説明図である。
【図５】本発明を適用した折り畳み式ユニットハウスの屋根の構造を示す要部拡大説明図である。
【図６】本発明を適用した折り畳み式ユニットハウスの屋根と柱体との取り付け機構の一例を示す側面説明図である。
【図７】図６における正面説明図である。
【図８】本発明を適用した折り畳み式ユニットハウスの天井面における照明器具取付部の一例を示す説明図である。
【図９】本発明を適用した折り畳み式ユニットハウスの折り畳み状態を示す説明図である。
【図１０】従来の折り畳み式ユニットハウスの一例を示す説明図である。
【図１１】図１０における折り畳み状態を示す説明図である。
【符号の説明】
【００３７】
１      ユニットハウス
２      床体
３      柱体
４      屋根
５、５Ａ、５Ｂ、５Ｃ、５Ｄ      側壁
９      床骨格
１０    床見切り
１１    耐水合板
１２    妻骨格
１３    連結支持部
１４、１４Ａ    軸貫通穴
１５、１５Ａ    固定ピン挿通穴
１６    回転軸
１７    固定ピン
１８    屋根骨格
１９    段差部
２０    側壁嵌入部
２１    天井化粧板
２２    屋根プレート
２３    桁部
２４    柱体挿入部
２５    ボルト挿通穴
２６    ボルトナット
２７    ボルト
２８    ランプケース
２９    支持板
３０    プレート
【図１】
2008101402.tif 000003
【図２】
2008101402.tif 000004
【図３】
2008101402.tif 000005
【図４】
2008101402.tif 000006
【図５】
2008101402.tif 000007
【図６】
2008101402.tif 000008
【図７】
2008101402.tif 000009
【図８】
2008101402.tif 000010
【図９】
2008101402.tif 000011
【図１０】
2008101402.tif 000012
【図１１】
2008101402.tif 000013